(57)【要約】      （修正有）【課題】組み立て式の低床ベッド構造を提供する。【解決手段】解体及び組み立てができ、且つ床板の高さの調整が可能な電動ベッド構造である。主にヘッドボード１、前端底板２、後端底板３、フットボード４、及び左右の側板５で構成される。前端底板２及び後端底板３の底端にはリンクロッド装置及び電動シリンダがそれぞれ設置され、前端底板２及び後端底板３が押されて上昇すると、傾斜角度がつけられる。側板５は二側に設置され、ベッドに寝ている人間が落下するのを防止させ、且つ側板５は折り畳み及び展開が可能であり、ベッドに乗り降りさせやすくなる。【選択図】図２
0003203001.tif 000002
【実用新案登録請求の範囲】
【請求項１】
ヘッドボードと、前端底板と、後端底板と、フットボードと、側板と、電動シリンダと、リンクロッド装置とを主に備える組み立て式の低床ベット構造であって、
前記前端底板には支持棒が設置され、後端底板には収納孔が対応されるように設けられると共に螺合されて接合され、且つ底板及び後端底板の他端には結合ブロックが形成され、ヘッドボード及びフットボードにそれぞれ枢接され、ベッド体が形成され、且つ底板は昇降させることで高さを調整できることを特徴とする組み立て式の低床ベット構造。
【請求項２】
前記ヘッドボード、前端底板、後端底板及びフットボードは解体されて１組の輸送棚に収容され、前記輸送棚の中央部には２組の位置決めピンが設置され、二側には係合ピンがそれぞれ設置され、ヘッドボード、前端底板、後端底板及びフットボードが垂直に畳まれて１つになることを特徴とする、請求項１に記載の組み立て式の低床ベット構造。
【請求項３】
前記前端底板及び後端底板にはリンクロッド装置がそれぞれ設置され、且つモーターにより電動シリンダが起動されて底板を押動させることで傾斜角度の調整を行うことを特徴とする、請求項１に記載の組み立て式の低床ベット構造。
【考案の詳細な説明】
【技術分野】
【０００１】
本考案は、解体及び組み立てが便利で、且つ床板の高さが調整可能な組み立て式の低床ベッド構造に関する。
【背景技術】
【０００２】
本考案者は前案に掲示された電動ベッドのヘッドボードの調整構造は、ベッドフレームに背もたれ床板が枢接され、且つベッドフレームに上昇構造が装設され、前記上昇構造は伸縮動力源が回転軸に接続されており、回転軸には支持棒が設置されて背もたれ床板に当接され、床板を起立させる目的を達成させる。これにより、ベッドで寝ている人間の体を起こして座らせるようにし、薬や食べ物を食べさせやすくする。
【考案の概要】
【考案が解決しようとする課題】
【０００３】
前案の技術は実用的に設計されているが、しかしながら、ベッドが大き過ぎ、包装或いは輸送させるには非常に不便であり、コストも増加する。前記床板は、患者の落下を防止させるように低めに設計され、且つ側板が設置されず、起こしたり寝かせたりしやすくなっているが、ただし、低床の設計に固定されているため、一般的な健常者には適用できず、使用範囲が制限された。
【０００４】
そこで、本考案者は上記の欠点が改善可能と考え、鋭意検討を重ねた結果、合理的設計で上記の課題を効果的に改善する本考案の提案に到った。
【０００５】
本考案は、以上の従来技術の課題を解決する為になされたものである。また、本考案の目的は、組み立て式の低床ベッド構造を提供する。即ち、解体及び組み立てができ、床板の高さを調整可能な電動ベッド構造である。ヘッドボードと、前端底板と、後端底板と、フットボードと、左右の側板と主にを備え、前端及び後端の電動シリンダ及び前端底板と後端底板とに固設されるリンクロッド装置が組み合わせられる。
【課題を解決するための手段】
【０００６】
上述した課題を解決し、上記目的を達成するための本考案は、本考案に係る組み立て式の低床ベッド構造は、ヘッドボードと、前端底板と、後端底板と、フットボードと、側板と、電動シリンダと、リンクロッド装置とを主に備え、前記前端底板には支持棒が設置され、後端底板には収納孔が対応されるように設けられると共に螺合されて接合され、且つ底板及び後端底板の他端には結合ブロックが形成され、ヘッドボード及びフットボードにそれぞれ枢接され、ベッドが形成され、且つ底板は昇降させることで高さを調整できることを特徴とする。
【考案の効果】
【０００７】
組み立て方式で解体もでき、組み立て前には１つに収容され、体積が有効的に縮減される。包装作業が便利なほか、体積が小さくなって輸送しやすくなり、コストも節約される。特に、解体及び組み立てしやすいため、運搬しやすくなり、繰り返し使用するにも便利であり、経済効率が高い。
【０００８】
なお、本考案の床板は低床に設計されており、患者、身体障碍者、及び高齢者に対して特殊なリンクロッドの設計により、床板を地面に接近させて平坦にさせるため、地面に落下する危険がない。健常者が使用する場合、前記床板を昇降させることで高さが調整可能であり、且つ二段式の昇降により、必要に応じて調整を行って定位させて固定させる。このため、本ベッドの設計により低床或いは正常なベッドの高さに調整させ、本考案は柔軟性及び利便性を大幅に向上させる。
【０００９】
さらに、前記前床板は電動シリンダにリンクロッド装置が組み合わされ、前端底板が起立されて傾斜される目的を達成させ、傾斜角度は０〜７５度の間になり、ベッドに寝かせたまま座らせることができる。後端底板は電動シリンダ及びリンクロッド装置を有するように設計され、後端底板も起立されて角度をつけて傾斜され、ベッドに寝ている人間の腿が快適になるようにする。
【００１０】
また、本考案に係る床板が普通の高さまで調整されると、本考案では二側に側板を有する設計のため、ベッドに横たわる人間が身を返したさいに地面に落下して傷害を負うのを防止させる。前記側板は可動式で随時取り外して使用しないようにでき、リンクロッドの設計が収容方式になっているため、未使用時には押動させて傾斜させて床板に平行に近接させる。或いは、側板が開放式に設計され、外向きに開かれて、ベッドに乗り降りさせやすくする。
【図面の簡単な説明】
【００１１】
【図１】本考案の第１実施形態による組み立て式の低床ベッド構造を示す展開図である。
【図２】本考案の第１実施形態による組み立て式の低床ベッド構造を示す外観斜視図である。
【図３】本考案のベッドが折り畳まれた時の概念図である。
【図４】本考案のベッドが収容された後の概念図である。
【図５】本考案の他の実施形態が折り畳まれた時の概念図である。
【図６】本考案の他の実施形態が折り畳まれた後の概念図である。
【図７】本考案のヘッドボードの昇降を示す概略図である。
【図８】本考案のヘッドボードの昇降を示す概略図である。
【図９】本考案のヘッドボードの昇降を示す概略図である。
【図１０】本考案の側板が展開された概念図である。
【図１１】本考案のリンクロッド装置を示す概略図である。
【図１２】本考案のリンクロッド装置を示す概略図である。
【図１３】本考案のリンクロッド装置を示す概略図である。
【図１４】本考案のリンクロッド装置を示す概略図である。
【図１５】本考案の前ヘッドボードの上昇を示す概略図である。
【図１６】本考案の前、後ヘッドボードの上昇を示す概略図である。
【考案を実施するための形態】
【００１２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００１３】
第１実施形態
本考案に係る組み立て式の低床ベッド構造は、ヘッドボード１、前端底板２、後端底板３、フットボード４及び側板５で構成される（図１及び図２参照）。前記ヘッドボード１及びフットボード４の底端の二側にはキャスター１０及びキャスター４０がそれぞれ設置され、ベッドを支持させて移動させる以外、前記キャスター１０及びキャスター４０には係止圧迫機制が設けられ、キャスター１０及びキャスター４０が係止されて定位され、ベッドを固定させて移動させないようにする。
【００１４】
前記前端底板２及び後端底板３の底端にはリンクロッド装置及び電動シリンダがそれぞれ設置され、前端底板２及び後端底板３が押されて上昇すると、傾斜角度がつけられる。側板５は二側に設置され、ベッドに寝ている人間が落下するのを防止させ、且つ前記側板５は折り畳み及び展開が可能であり、ベッドに乗り降りさせやすくなる。
【００１５】
以下、本考案の組み立て動作について、図１及び図２を参照しながら説明する。まず、前端底板２の二端の支持棒２１を後端底板３の二側の収納孔３１に挿入させ、その後、ねじ或いは他の連結部材により固定させ、前端底板２及び後端底板３を結合させて一体にする。前端底板２及びヘッドボード１の連結箇所には結合ブロック２２が設置され、後端底板３及びフットボード４の連結箇所にも結合ブロック３２が設置され、ヘッドボード１、前端底板２、後端底板３及びフットボード４をそれぞれ連結させて一体にし、且つ前記ヘッドボードはさらに昇降可能であり、底板の高さを調整させる。また、底板の二側には側板５がそれぞれ設置され、これは分離式であるため、ベッドに横になる人間が落下するのを防止させ、ベッドに乗り降りさせやすくするため、前記側板５は折り畳み式或いは展開式に設計され、ベッドに乗り降りさせやすくなる。
【００１６】
次は、図３は本考案に係るベッドが折り畳まれた時の概略図である。前記ヘッドボード１、前端底板２、後端底板３及びフットボード４が解体された後、１対の輸送棚６により、１つに組み合わせられる。前記輸送棚６の中央部箇所には突出される２つの位置決めピン６１及び位置決めピン６２が設置され、位置決めピン６１及び位置決めピン６２の二側には係合ピン６３及び係合ピン６４が設置される。
【００１７】
図４は本考案が収容された後の概略図である。前記輸送棚６は左右が対応し合い、前端底板２が垂直に直立された後、二側の支持棒２１が位置決めピン６２にそれぞれ挿入され、後端底板３は二側の収納孔３１に位置決めピン６１が挿入され、ヘッドボード１及びフットボード４が位置決めピン６１及び位置決めピン６２の二側の係合ピン６３及び係合ピン６４にそれぞれ係入され、ヘッドボード１、前端底板２、後端底板３及びフットボード４が輸送棚６に垂直に固定される。包装に便利であり、且つ体積が縮小されるため、輸送しやすいのみならず、コストも節約できる。
【００１８】
輸送棚の構造は、図５及び図６に示すように、本考案の他の実施形態の図を参照すると、前記輸送棚７は同様に位置決めピン７１及び位置決めピン７２を有し、二側は係合ピン７３及び係合ピン７４であり、ただし滑車は設置されず、ヘッドボード１、前端底板２、後端底板３及びフットボード４が係入された後、ヘッドボード１及びフットボード４のキャスター１０及びキャスター４０により押動させることができる。
【００１９】
続いて、図７〜図９は本考案に係るヘッドボードの昇降の概略図である。前記ベッドの組み立ての完成後に、前端底板２及び後端底板３はヘッドボード１及びフットボード４の最低位置端にそれぞれ結合され、これにより、前記底板が地面とほぼ平坦になり、ベッドに寝ている人間が地面に落下する危険を回避させる。前記側板５が底板に結合され、折り畳み或いは展開されてベッドの乗り降りがしやすくなる。当然ながら、底板が最低位置にある場合、側板５を解体させて、ベッドに乗り降りしやすくさせることも可能である。
【００２０】
使用者が健常者の場合、前記底板を適度な高さに調整させ（図８或いは図９参照)、一般的なベッドと同じようにし、前記側板５を組み立てることで落下を防止させる。側板５は落下を防止させるが、ベッドに乗り降りさせる利便性には影響がない。また、図１０は本考案に係る側板が展開された概略図である。従来のベッドの大部分は折り畳み式の側板を有し、折り畳まれて底板に寝かせて置かれるように設計されるが、本考案では展開式に設計され、圧下させ、押動させて傾斜させて折り畳むといった面倒な過程が必要なく、ドアを開け閉めするように直接押し開いて閉める動作により、側板５が開閉され、ベッドに乗り降りしやすくさせる目的を達成させる。
【００２１】
図１１〜図１４は本考案に係るリンクロッド装置の概略図である。前記リンクロッド装置８は動力源であるモーター８１を主に有し、電動シリンダ８２を連動させ、リンクロッド装置８はシャフト８３を有し、中央部箇所には枢接台８４が設置され、電動シリンダ８２の伸縮軸８２０に枢接され、シャフト８３の二側に位置されると共にプッシュロッド８５が固設され、電動シリンダ８２が起動していない場合、リンクロッド装置８全体が平坦な状態に保持され、底板の下方に丁度良く結合され、底板が地面に接近して平坦になるまで降下される（図９参照)。
【００２２】
電動シリンダ８２が起動されると、伸縮軸８２０が延出されて枢接台８４が押され、シャフト８３の二端が底板に可動に連結されるため、前後に移動されず、このため、前記枢接台８４は上昇のみ行う（図１２参照）。このさい、シャフト８３の二側に固設されるプッシュロッド８５も一緒に上昇される。
【００２３】
電動シリンダ８２の伸縮軸８２０が延出されるほど、シャフト８３に固設されるプッシュロッド８５の上昇角度が大きくなり、図１３に示すように、伸縮軸８２０が最高点まで突出されると、プッシュロッド８５の傾斜が最大角度になり、約０〜７５度の間になる（図１４参照）。
【００２４】
図１５に示すように、前記底板がリンクロッド装置８に結合されると、前端底板２には可動棚板２０が設置され、リンクロッド装置８のプッシュロッド８５に連結されるため、電動シリンダ８２が起動されると、可動棚板２０が押され、必要な角度まで上昇されて傾斜される。
【００２５】
後端底板３に結合されるリンクロッド装置８は、図１６に示すように、前記後端底板３の可動棚板３０は２つに分かれており、中央部が可動に連結される状態になるため、可動棚板３０１が押されて上昇されると、前記可動棚板３０２が反対方向に傾斜され、腿が可動棚板３０に乗せられ、逆Ｖ字型の角度になり、より快適になる。
【００２６】
以上のことから、本考案は組み立て及び解体方式により、ベッドを有効的に収容でき、本来の機能を保持させるほか、包装及び輸送が便利になり、さらにコストを確実に低減させる。また、低床設計で底板の昇降を調整させるため、一般的なベッドとしても使用でき、適用範囲がより広くなる。
【００２７】
以上、本考案の実施形態について図面を参照して詳述したが、具体的な構成はこの実施形態に限られるものではなく、本考案の要旨を逸脱しない範囲の設計変更等も含まれる。
【符号の説明】
【００２８】
１  ヘッドボード
１０  キャスター
２  前端底板
２０  可動棚板
２１  支持棒
２２  結合ブロック
３  後端底板
３０  可動棚板
３０１  可動棚板
３０２  可動棚板
３１  収納孔
３２  結合ブロック
４  フットボード
４０  キャスター
５  側板
６  輸送棚
６１  位置決めピン
６２  位置決めピン
６３  係合ピン
６４  係合ピン
７  輸送棚
７１  位置決めピン
７２  位置決めピン
７３  係合ピン
７４  係合ピン
８  リンクロッド装置
８１  モーター
８２  電動シリンダ
８２０  伸縮軸
８３  シャフト
８４  枢接台
８５  プッシュロッド
【図１】
0003203001.tif 000003
【図２】
0003203001.tif 000004
【図３】
0003203001.tif 000005
【図４】
0003203001.tif 000006
【図５】
0003203001.tif 000007
【図６】
0003203001.tif 000008
【図７】
0003203001.tif 000009
【図８】
0003203001.tif 000010
【図９】
0003203001.tif 000011
【図１０】
0003203001.tif 000012
【図１１】
0003203001.tif 000013
【図１２】
0003203001.tif 000014
【図１３】
0003203001.tif 000015
【図１４】
0003203001.tif 000016
【図１５】
0003203001.tif 000017
【図１６】
0003203001.tif 000018